(57)【要約】【課題】  気体を漏出することなく弁体に作用する流体圧力を相殺して大きな弁口を開閉できるレバーフロート式ドレントラップを提供する。【解決手段】  本体３と蓋体４からなるケーシングで入口１と弁室６と出口２を形成し、弁室６と出口２を連通する弁口９を開けた弁座７を弁室６の下部に形成する。弁室６内に支持された揺動軸１５の周りに回転するレバー１６を設け、弁室６内の液位に応じて浮上降下するフロート１７をレバー１６に連結すると共に弁座７に離着座して弁口９を開閉する弁体１２をレバー１６に連結する。弁座７は円筒形状で両端を弁室６に開口すると共に周囲を排出孔８により出口２に連通し、弁体１２は円筒形状で一端を開口すると共に他端を壁部材１３により塞いで一端開口側の環状弁面１４が弁座７の一端開口側の弁口９を開閉すると共に他端の壁部材１３側の外周が弁座７の他端開口側の内周の摺動部１０を気密的に摺動する。【選択図】      図１
2010185555.tif 000002
【特許請求の範囲】
【請求項１】
ケーシングで入口と弁室と出口を形成し、弁室と出口を連通する弁口を開けた弁座を弁室の下部に形成し、弁室内に支持された揺動軸の周りに回転するレバーを設け、弁室内の液位に応じて浮上降下するフロートをレバーに連結すると共に弁座に離着座して弁口を開閉する弁体をレバーに連結したものにおいて、弁座は円筒形状で両端を弁室に開口すると共に周囲を排出孔により出口に連通し、弁体は円筒形状で一端を開口すると共に他端を壁部材により塞いで一端開口側の環状弁面が弁座の一端開口側の弁口を開閉すると共に他端壁部材側の外周が弁座の他端開口側の内周を気密的に摺動することを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のレバーフロート式ドレントラップは、ケーシングで入口と弁室と出口を形成し、弁室と出口を連通する弁口を開けた弁座を弁室の下部に形成し、弁室内に支持された揺動軸の周りに回転するレバーを設け、弁室内の液位に応じて浮上降下するフロートをレバーに連結すると共に弁座に離着座して弁口を開閉する弁体をレバーに連結したものにおいて、一軸上に設けられた一対の第１及び第２弁座により弁座を形成し、第１及び第２弁座の軸上を移動して第１及び第２弁座を同時に開閉する一対の第１及び第２弁体により弁体を形成し、弁体に作用する流体圧力を対称に作用させて互いに相殺して大きな弁口を開閉できるようにしたものである。
【先行技術文献】
【特許文献】
【０００３】
【特許文献１】特開２００８−２８６２３８号公報
【発明の概要】
【発明が解決しようとする課題】
【０００４】
上記従来のレバーフロート式ドレントラップにおいては、第１及び第２弁体が第１及び第２弁座に同時に着座できるように製作することが困難で、気体を漏出し易いという問題点があった。
【０００５】
したがって本発明が解決しようとする課題は、気体を漏出することなく弁体に作用する流体圧力を相殺して大きな弁口を開閉できるレバーフロート式ドレントラップを提供することである。
【課題を解決するための手段】
【０００６】
上記の課題を解決するために、本発明のレバーフロート式ドレントラップは、ケーシングで入口と弁室と出口を形成し、弁室と出口を連通する弁口を開けた弁座を弁室の下部に形成し、弁室内に支持された揺動軸の周りに回転するレバーを設け、弁室内の液位に応じて浮上降下するフロートをレバーに連結すると共に弁座に離着座して弁口を開閉する弁体をレバーに連結したものにおいて、弁座は円筒形状で両端を弁室に開口すると共に周囲を排出孔により出口に連通し、弁体は円筒形状で一端を開口すると共に他端を壁部材により塞いで一端開口側の環状弁面が弁座の一端開口側の弁口を開閉すると共に他端壁部材側の外周が弁座の他端開口側の内周を気密的に摺動することを特徴とするものである。
【発明の効果】
【０００７】
本発明によれば、弁座は円筒形状で両端を弁室に開口すると共に周囲を排出孔により出口に連通し、弁体は円筒形状で一端を開口すると共に他端を壁部材により塞いで一端開口側の環状弁面が弁座の一端開口側の弁口を開閉すると共に他端壁部材側の外周が弁座の他端開口側の内周を気密的に摺動するものであるので、弁体の一端乃至壁部材の一面と壁部材の他面に作用する流体圧力を対称に作用させて互いに相殺して弁体の環状弁面で弁座の大きな弁口を気体を漏出することなく開閉することができるという効果を奏する。
【図面の簡単な説明】
【０００８】
【図１】本発明の実施の形態に係わるレバーフロート式ドレントラップの断面図である。
【発明を実施するための形態】
【０００９】
以下、本発明の実施の形態について、図1を参照して説明する。レバーフロート式ドレントラップは、入口１と出口２を有する本体３に蓋体４をボルト５で締結して内部に弁室６を有するケーシングを構成する。弁室６の下部の本体３に弁座７を図示しないねじにより取り付ける。弁座７は円筒形状で両端を弁室６に開口すると共に周囲を排出孔８により出口２に連通する。弁座７の一端開口側により弁室６と出口２を連通する弁口９を形成し、他端開口側の内周により摺動部１０を形成する。摺動部１０には気密用のＯリング１１を配置する。入口１は弁室６の下部に開口し、出口２は弁口９及び排出孔８を介して弁室６の下部に開口する。
【００１０】
弁座７に離着座して弁口９を開閉する弁体１２を弁座７内に配置する。弁体１２は円筒形状で一端を開口すると共に他端を壁部材１３により塞いで形成する。弁体１２は一端開口側の環状弁面１４が弁座７の一端開口側の弁口９を開閉すると共に、他端の壁部材１３側の外周が弁座７の他端開口側の内周の摺動部１０を気密的に摺動する。
【００１１】
蓋体４の弁室６内に揺動軸１５を支持し、揺動軸１５にレバー１６の右端部を回転可能に連結する。レバー１６の左端部に弁室６内の液位に応じて浮上降下する中空球形のフロート１７を連結する。レバー１６の右側部に揺動軸１５と平行な連結軸１８を支持し、連結軸１８に連結棒１９の上部を回転可能に連結する。連結棒１９の下部は弁体１２の弁棒２０の上端部に支持された揺動軸１５と平行な弁軸２１に回転可能に連結する。蓋体４の案内部２２で弁棒２０を上下に案内する。
【００１２】
上記のレバーフロート式ドレントラップの動作は次の通りである。弁室６内の液位が低い場合は、図１に示すようにフロート１７は降下し、弁体１２が弁口９を閉じている。入口１から流入するドレンによって弁室６内の液位が上昇すると、フロート１７が上動してレバー１６が揺動軸１５を中心に時計回り方向に回転する。このレバー１６の回転により、連結棒１９を介して弁体１２が上動して弁口９を開く。これにより、弁室６のドレンを弁口９から排出孔８を通して出口２に排出する。
【００１３】
ドレンの排出により弁室６内の液位が低下すると、フロート１７が下動してレバー１６が揺動軸１５を中心に反時計回り方向に回転する。このレバー１６の回転により、連結棒１９を介して弁体１２が下動して弁口９を閉じる。これにより、気体の漏出を防止する。弁体１２の下方と上方から作用する流体圧力を対称に作用させて互いに相殺することにより、気体を漏出することなく弁体１２で大きな弁口９を開閉することができる。
【産業上の利用可能性】
【００１４】
本発明は、蒸気配管系や圧縮空気配管系やガス配管系に発生するドレンをフロートを用いて自動的に排出するレバーフロート式ドレントラップに利用することができる。
【符号の説明】
【００１５】
１  入口
２  出口
３  本体
４  蓋体
６  弁室
７  弁座
８  排出孔
９  弁口
１０  摺動部
１１  Ｏリング
１２  弁体
１３  壁部材
１４  環状弁面
１５  揺動軸
１６  レバー
１７  フロート
２０  弁棒
【図１】
2010185555.tif 000003